(57)【要約】【課題】マウス操作におけるクリック時の位置ずれなどポインティングデバイス操作におけるフォーカス操作時の位置ずれに起因する誤操作を防ぐこと。【解決手段】操作対象情報作成部１２が操作受付領域情報及び入力対象項目を含む操作対象情報を作成して操作対象情報記憶部１４に格納する。そして、フォーカス設定部１６が、操作対象情報記憶部１４が記憶する操作対象情報に基づいてマウスポインタが操作受付領域にあると、入力対象項目にフォーカスを設定する。【選択図】図２
2018032445.tif 000002
【特許請求の範囲】
【請求項１】
画面内に配置されたボタンの周囲の領域又は入力欄の周囲の領域へのポインタの進入検出に応じて、該ボタン又は該入力欄への入力操作を受け付ける状態に遷移する、
処理をコンピュータに実行させることを特徴とする制御プログラム。
【請求項２】
前記周囲の領域は、１または複数のＧＵＩ部品を含むことを特徴とする請求項１に記載の制御プログラム。
【請求項３】
前記ＧＵＩ部品は項目タイトルまたは装飾枠であることを特徴とする請求項２に記載の制御プログラム。
【請求項４】
前記周囲の領域は、前記ボタンの位置情報、前記入力欄の位置情報、前記１または複数のＧＵＩ部品の位置情報に応じて設定されることを特徴とする請求項２または３に記載の制御プログラム。
【請求項５】
画面内に配置されたボタンの周囲の領域又は入力欄の周囲の領域へのポインタの進入検出に応じて、該ボタン又は該入力欄への入力操作を受け付ける状態に遷移する、
処理をコンピュータが実行することを特徴とする制御方法。
【請求項６】
画面内に配置されたボタンの周囲の領域又は入力欄の周囲の領域へのポインタの進入検出に応じて、該ボタン又は該入力欄への入力操作を受け付ける状態に遷移する設定部、
を有することを特徴とする制御装置。
【発明の詳細な説明】
【技術分野】
【０００１】
本発明は、制御プログラム、制御方法及び制御装置に関する。
【背景技術】
【０００２】
コンピュータを操作する際、ＧＵＩ（グラフィカルユーザインタフェース：Graphical  User  Interface）上で操作対象を指示する方法としてマウスが主に用いられている。マウスによる操作では、ユーザは、マウスポインタを目的の位置に移動させた後、マウス位置を保持したままマウスボタンをクリックする。
【０００３】
例えば、ユーザがＧＵＩ上の入力欄にマウスポインタを移動させ、マウスボタンをクリックすることにより、入力欄へフォーカスが設定され、入力欄へのキーボードからの入力が可能な状態になる。ここで、入力欄へフォーカスが設定されるとは、入力欄に対してキーボードからの入力が可能な状態にすることである。
【０００４】
また、ユーザがＧＵＩ上のボタンにマウスポインタを移動させ、マウスボタンをクリックすることにより、ボタンへフォーカスが設定されるとともに、ボタンが押下された状態となる。なお、ＧＵＩ上のボタンへフォーカスが設定されると、ボタンに対するキーボードからの入力が可能となり、キーボードから「スペース」が入力されると、ボタンが押下されたことになる。
【０００５】
また、マウス操作に関連する技術として、ディスプレイ上に表示されたドキュメント画像に対してユーザがマウス操作を行うことにより、ドキュメント画像からタイトルや著者などのメタデータを抽出する従来技術がある（例えば、特許文献１参照。）。
【先行技術文献】
【特許文献】
【０００６】
【特許文献１】特開２００５−７１３４９号公報
【発明の概要】
【発明が解決しようとする課題】
【０００７】
しかしながら、障がい者や握力の低下した高齢者の場合、マウスボタンをクリックする際にマウスの位置がずれてしまうことがあり、目的とする対象と異なる対象が操作されてしまうという問題がある。
【０００８】
本発明は、１つの側面では、マウス操作におけるクリック時の位置ずれなどポインティングデバイス操作におけるフォーカス操作時の位置ずれに起因する誤操作を防ぐＧＵＩを提供することを目的とする。
【課題を解決するための手段】
【０００９】
本願の開示する制御プログラムは、１つの態様において、コンピュータに以下の処理を実行させる。制御プログラムは、画面内に配置されたボタンの周囲の領域又は入力欄の周囲の領域へのポインタの進入検出に応じて、該ボタン又は該入力欄への入力操作を受け付ける状態に遷移する、処理をコンピュータに実行させる。
【発明の効果】
【００１０】
１実施態様によれば、ポインティングデバイス操作におけるフォーカス操作時の位置ずれに起因する誤操作を防ぐことができる。
【図面の簡単な説明】
【００１１】
【図１】図１は、操作対象項目へのフォーカスの設定を説明するための図である。
【図２】図２は、実施例に係るＧＵＩ部の機能構成を示す図である。
【図３Ａ】図３Ａは、操作対象情報作成部により操作対象情報が作成される操作対象を説明するための図である。
【図３Ｂ】図３Ｂは、操作受付領域を示す図である。
【図３Ｃ】図３Ｃは、入力対象項目を説明するための図である。
【図４Ａ】図４Ａは、入力対象項目とすることができる他の項目例を示す第１の図である。
【図４Ｂ】図４Ｂは、入力対象項目とすることができる他の項目例を示す第２の図である。
【図５】図５は、項目情報記憶部の一例を示す図である。
【図６】図６は、操作対象情報記憶部の一例を示す図である。
【図７】図７は、操作対象情報作成部による操作対象情報を作成する処理のフローを示すフローチャートである。
【図８】図８は、ユーザの入力操作を受け付ける処理のフローを示すフローチャートである。
【図９】図９は、実施例に係るＰＣのハードウェア構成を示す図である。
【発明を実施するための形態】
【００１２】
以下に、本願の開示する制御プログラム、制御方法及び制御装置の実施例を図面に基づいて詳細に説明する。なお、この実施例は開示の技術を限定するものではない。
【実施例】
【００１３】
まず、実施例に係るＧＵＩにおける操作対象項目へのフォーカスの設定について説明する。ここで、操作対象項目へのフォーカスの設定とは、入力欄、ボタンなどのＧＵＩ部品に対してキーボードからの入力が可能な状態にすることである。
【００１４】
図１は、実施例に係るＧＵＩにおける操作対象項目へのフォーカスの設定を説明するための図である。実施例に係るＧＵＩでは、網点で網掛けされた領域４にマウスポインタがあると、マウスボタンがクリックされなくても、また、マウスポインタが入力欄２になくても、入力欄２にフォーカスが設定される。また、実施例に係るＧＵＩでは、斜線で網掛けされた領域５にマウスポインタがあると、マウスボタンがクリックされなくても、また、マウスポインタがボタン３上になくても、ボタン３にフォーカスが設定される。
【００１５】
このように、実施例に係るＧＵＩでは、ユーザは、マウスボタンをクリックすることなく操作対象にフォーカスを設定することができる。したがって、実施例に係るＧＵＩは、ユーザが入力欄２をクリックする際に位置ずれにより誤ってボタン３をクリックすることを防ぐことができる。
【００１６】
また、ユーザは、実際の操作対象より広い範囲を操作対象としてマウスポインタで指示することができる。したがって、実施例に係るＧＵＩは、ユーザが小さな操作対象をマウスポインタで正確に指示できない場合でも、マウスポインタによる誤操作を防ぐことができる。
【００１７】
次に、実施例に係るＧＵＩ部の機能構成について説明する。ここで、ＧＵＩ部とは、表示装置にＧＵＩを提供する機能部である。ＧＵＩ部は、コンピュータ上でＧＵＩプログラムが実行されることにより実現される。
【００１８】
図２は、実施例に係るＧＵＩ部の構成を示す機能ブロック図である。図２に示すように、ＧＵＩ部１０は、表示部１１と、操作対象情報作成部１２と、項目情報記憶部１３と、操作対象情報記憶部１４と、位置監視部１５と、フォーカス設定部１６と、入力受付部１７とを有する。なお、ＧＵＩ部１０は、ＰＣ（パーソナルコンピュータ：Personal  Computer）１上で動作するアプリケーション２０からの要求により起動される。
【００１９】
表示部１１は、アプリケーション２０からの要求に基づいて表示装置上にＧＵＩ画面を表示する。また、表示部１１は、操作対象情報作成部１２からの指示に基づいて、表示装置上にＧＵＩ部品を表示する。
【００２０】
操作対象情報作成部１２は、ＧＵＩ画面でのマウスによる操作対象についての情報を作成し、作成した情報を操作対象情報記憶部１４に格納する。図３Ａは、操作対象情報作成部１２により操作対象情報が作成される操作対象を説明するための図である。
【００２１】
図３Ａに示すように、ＧＵＩ部品である入力項目３１ａ、項目タイトル３２ａおよび装飾枠３３ａがグループ化されることによりグループｘが作成され、作成されたグループｘがマウスによる操作対象となる。また、ＧＵＩ部品である入力項目３１ｃ、項目タイトル３２ｃ及び装飾枠３３ｃがグループ化されることによりグループｙが作成され、作成されたグループｙがマウスによる操作対象となる。このように、操作対象情報作成部１２は、ＧＵＩ部品をグループ化することにより、操作対象を作成する。
【００２２】
また、操作対象情報作成部１２は、操作対象に対して操作受付領域を定義する。ここで、操作受付領域とは、操作対象に含まれる入力対象項目にフォーカスを設定するためにマウスポインタが指示すべき領域である。
【００２３】
図３Ｂは、操作受付領域を示す図である。図３Ｂにおいて、操作受付領域３４ａは、図３Ａに示したグループｘに対応する操作受付領域であり、操作受付領域３４ｃは、図３Ａに示したグループｙに対応する操作受付領域である。
【００２４】
操作対象情報作成部１２は、ＧＵＩ画面の設計者の指示に基づいて操作対象に対する操作受付領域を定義する。あるいは、操作対象情報作成部１２は、操作対象のグループに含まれるＧＵＩ部品全てが内包されるような画面上の領域を操作受付領域として自動的に定義する。
【００２５】
例えば、操作対象情報作成部１２は、操作対象のグループに含まれるＧＵＩ部品のうちＧＵＩ画面上で最も左上に位置するＧＵＩ部品の左上の座標と、最も右下に位置するＧＵＩ部品の右下の座標を対角線とする矩形を操作受付領域として定義する。また、操作対象情報作成部１２は、最も左上に位置するＧＵＩ部品の左上の座標と、最も右下に位置するＧＵＩ部品の右下の座標を対角線とする矩形の上下左右に所定の幅を設けて操作受付領域とすることもできる。
【００２６】
また、操作対象情報作成部１２は、操作対象に含まれる入力対象項目を１つ決定する。図３Ｃは、入力対象項目を説明するための図である。図３Ｃにおいて、操作対象情報作成部１２は、図３Ａに示したグループｘに含まれる入力項目３１ａを入力対象項目として決定し、図３Ａに示したグループｙに含まれる入力項目３１ｃを入力対象項目として決定する。
【００２７】
そして、操作対象情報作成部１２は、グループの情報、操作受付領域の情報、入力対象項目の情報を操作対象情報として操作対象情報記憶部１４に格納する。このように、操作対象情報作成部１２が操作対象情報を作成することによって、ＧＵＩ部１０は操作対象情報に基づいてフォーカスの設定を行うことができる。
【００２８】
なお、図３Ａ〜図３Ｃでは、入力欄を有する入力項目を入力対象項目とする場合について説明したが、他の項目を入力対象項目とすることもできる。図４Ａ及び図４Ｂは、入力対象項目とすることができる他の項目例を示す図である。
【００２９】
図４Ａに示すように、入力対象項目とすることができる他の項目としては、ＧＵＩ画面上のボタン３、チェックボックス６がある。また、図４Ｂに示すように、入力対象項目とすることができる他の項目としては、Ｗｅｂページへのリンク７がある。
【００３０】
図２に戻って、項目情報記憶部１３は、ＧＵＩ部品を項目として項目情報を記憶する。図５は、項目情報記憶部１３の一例を示す図である。図５に示すように、項目情報記憶部１３は、項目毎に、項目番号、項目種別、左上座標、右下座標、データ型、項目値などを記憶する。
【００３１】
項目番号は、項目を識別する番号である。項目種別は、項目の種別を示す。左上座標は、ＧＵＩ画面における項目の左上のｘｙ座標であり、右下座標は、ＧＵＩ画面における項目の右下のｘｙ座標である。座標は、例えば、画面の左上を原点として、画面の右方向をｘ軸とし、画面の下方向をｙ軸とする。
【００３２】
なお、ＧＵＩ画面上で項目が占める領域は矩形である。また、操作対象情報作成部１２は、項目情報記憶部１３が記憶する左上座標及び右下座標を用いて、操作受付領域を自動で定義することができる。
【００３３】
データ型は、項目が入力対象項目である場合に、キーボードから受け付ける値の型を示す。項目値は、項目に関連する値を示し、例えば、項目種別が「項目タイトル」である場合には、項目値は、タイトルを示す。
【００３４】
例えば、項目情報記憶部１３は、項目番号が「００００３」である項目について、項目種別として「項目タイトル」を、左上座標として（１０，１０）を、右下座標として（３０，４０）を、項目値として「項目Ａ」を記憶する。
【００３５】
操作対象情報記憶部１４は、操作対象情報を記憶する。図６は、操作対象情報記憶部１４の一例を示す図である。図６に示すように、操作対象情報記憶部１４は、操作対象毎に、グループ名、左上座標、右下座標、項目数、入力対象項目番号、ｎ個の項目番号を記憶する。ここで、ｎは、操作対象に含まれる項目数の最大値である。
【００３６】
グループ名は、操作対象に対応するグループを識別する名前である。左上座標は、ＧＵＩ画面における操作受付領域の左上のｘｙ座標であり、右下座標は、ＧＵＩ画面における操作受付領域の右下のｘｙ座標である。項目数は、操作対象に含まれる項目すなわちＧＵＩ部品の数であり、入力対象項目番号は、操作対象に対して１つだけ定義される入力対象項目を識別する番号である。項目番号は、操作対象に含まれる項目を識別する番号であり、項目数だけある。
【００３７】
例えば、操作対象情報記憶部１４は、グループ名が「ｘ」であるグループに対応する操作対象について、左上座標として（８，８）を、右下座標として（６８，４５）を、項目数として「３」を、入力対象項目番号として「０００１１」を記憶する。また、操作対象情報記憶部１４は、グループ名が「ｘ」であるグループに対応する操作対象について、項目番号として「００００３」、「０００１１」などを記憶する。
【００３８】
位置監視部１５は、マウスポインタの位置を監視し、マウスポインタの位置をフォーカス設定部１６に通知する。フォーカス設定部１６は、マウスポインタの位置に基づいて、マウスポインタが指示する操作対象を特定し、特定した操作対象にフォーカスを設定する。具体的には、フォーカス設定部１６は、マウスポインタが、操作対象情報記憶部１４が記憶する左上座標及び右下座標で定義される操作受付領域のうちいずれかの操作受付領域内に移動すると、対応する操作対象をマウスポインタが指示する操作対象として特定する。
【００３９】
入力受付部１７は、フォーカスが設定された操作対象に含まれる入力対象項目に対するキーボードからの入力を受け付けて、アプリケーション２０に渡す。
【００４０】
次に、操作対象情報作成部１２による操作対象情報を作成する処理のフローについて説明する。図７は、操作対象情報作成部１２による操作対象情報を作成する処理のフローを示すフローチャートである。
【００４１】
図７に示すように、操作対象情報作成部１２は、ＧＵＩ部品をグルーピングすることにより操作対象を作成し（ステップＳ１）、グルーピングに関する情報を操作対象情報記憶部１４に格納する。
【００４２】
そして、操作対象情報作成部１２は、作成した操作対象毎に、操作受付領域を定め（ステップＳ２）、操作受付領域に関する情報を操作対象情報記憶部１４に格納する。そして、操作対象情報作成部１２は、作成した操作対象毎に、入力対象項目を定め（ステップＳ３）、入力対象項目に関する情報を操作対象情報記憶部１４に格納する。
【００４３】
このように、操作対象情報作成部１２が操作対象毎に操作受付領域及び入力対象項目を定義することによって、フォーカス設定部１６は、操作受付領域及び入力対象項目の情報を用いて、入力対象項目にフォーカスを設定することができる。
【００４４】
次に、ユーザの入力操作を受け付ける処理のフローについて説明する。図８は、ユーザの入力操作を受け付ける処理のフローを示すフローチャートである。図８に示すように、位置監視部１５は、マウスポインタのＧＵＩ画面上の位置を監視する（ステップＳ１１）。
【００４５】
そして、フォーカス設定部１６が、マウスポインタの位置に基づいて、マウスポインタが操作受付領域の外から中に移動したか否かを判定し（ステップＳ１２）、移動していない場合にはステップＳ１１に制御が戻る。
【００４６】
一方、マウスポインタが操作受付領域の外から中に移動した場合には、フォーカス設定部１６は、操作受付領域に対応する入力対象項目にフォーカスを設定する（ステップＳ１３）。そして、入力受付部１７が、キーボードからの入力を受け付けてアプリケーション２０に渡す（ステップＳ１４）。
【００４７】
上述してきたように、実施例では、操作対象情報作成部１２が操作受付領域情報及び入力対象項目を含む操作対象情報を作成して操作対象情報記憶部１４に格納する。そして、フォーカス設定部１６が、操作対象情報記憶部１４が記憶する操作対象情報に基づいてマウスポインタが操作受付領域にあると、入力対象項目にフォーカスを設定する。したがって、ユーザはマウスをクリックすることなく指示を行うことができ、ＧＵＩ部１０はマウスクリック時の位置ずれに起因するユーザの誤操作を防ぐことができる。
【００４８】
また、操作受付領域は、入力対象項目がマウスポインタにより指示される領域より広い。したがって、ユーザが小さな操作対象をマウスポインタで正確に指示できない場合でも、ＧＵＩ部１０はマウスポインタによる指示を可能とすることができる。
【００４９】
なお、実施例では、ＧＵＩ部１０について説明したが、ＧＵＩ部１０の機能は、同様の機能を有するＧＵＩプログラムをＰＣ１で実行することにより実現される。そこで、ＧＵＩプログラムを実行するＰＣ１のハードウェア構成について説明する。
【００５０】
図９は、ＧＵＩプログラムを実行するＰＣ１のハードウェア構成を示す図である。図９に示すように、ＰＣ１は、メインメモリ９１と、ＣＰＵ（Central  Processing  Unit）９２と、ＬＡＮ（Local  Area  Network）インタフェース９３と、ＨＤＤ（Hard  Disk  Drive）９４とを有する。また、ＰＣ１は、スーパーＩＯ（Input  Output）９５と、ＤＶＩ（Digital  Visual  Interface）９６と、ＯＤＤ（Optical  Disk  Drive）９７とを有する。
【００５１】
メインメモリ９１は、プログラムやプログラムの実行途中結果などを記憶するメモリである。ＣＰＵ９２は、メインメモリ９１からプログラムを読み出して実行する中央処理装置である。ＣＰＵ９２は、メモリコントローラを有するチップセットを含む。
【００５２】
ＬＡＮインタフェース９３は、ＰＣ１をＬＡＮ経由で他のコンピュータに接続するためのインタフェースである。ＨＤＤ９４は、プログラムやデータを格納するディスク装置であり、スーパーＩＯ９５は、マウスやキーボードなどの入力装置を接続するためのインタフェースである。ＤＶＩ９６は、液晶表示装置を接続するインタフェースであり、ＯＤＤ９７は、ＤＶＤの読み書きを行う装置である。
【００５３】
ＬＡＮインタフェース９３は、ＰＣＩエクスプレスによりＣＰＵ９２に接続され、ＨＤＤ９４及びＯＤＤ９７は、ＳＡＴＡ（Serial  Advanced  Technology  Attachment）によりＣＰＵ９２に接続される。スーパーＩＯ９５は、ＬＰＣ（Low  Pin  Count）によりＣＰＵ９２に接続される。
【００５４】
そして、ＰＣ１において実行されるＧＵＩプログラムは、ＤＶＤに記憶され、ＯＤＤ９７によってＤＶＤから読み出されてＰＣ１にインストールされる。あるいは、ＧＵＩプログラムは、ＬＡＮインタフェース９３を介して接続された他のコンピュータシステムのデータベースなどに記憶され、これらのデータベースから読み出されてＰＣ１にインストールされる。そして、インストールされたＧＵＩプログラムは、ＨＤＤ９４に記憶され、メインメモリ９１に読み出されてＣＰＵ９２によって実行される。
【００５５】
また、実施例では、マウス操作について説明したが、本発明はこれに限定されるものではなく、画面上の操作対象を指示する他のポインティングデバイスの操作にも同様に適用することができる。
【００５６】
以上の実施例を含む実施形態に関し、さらに以下の付記を開示する。
【００５７】
（付記１）画面上に表示された操作対象をユーザがポインティングデバイスで指定した後に行うフォーカス操作に替えてポインティングデバイスで指定される位置情報に基づいて該操作対象にフォーカスを設定し、
フォーカスを設定した操作対象に対するキーボードからの入力を受け付ける
処理をコンピュータに実行させることを特徴とする制御プログラム。
【００５８】
（付記２）前記操作対象に含まれる複数のＧＵＩ部品の位置情報に基づいて該操作対象の位置情報を作成する処理をさらにコンピュータに実行させ、
前記フォーカスを設定する処理は、前記操作対象の位置情報とポインティングデバイスで指定された位置情報に基づいて該操作対象にフォーカスを設定することを特徴とする付記１に記載の制御プログラム。
【００５９】
（付記３）前記複数のＧＵＩ部品には、キーボードからの文字入力又は数値入力を受け付けるための入力項目、ボタン、チェックボックス、Ｗｅｂページへのリンクが含まれることを特徴とする付記２に記載の制御プログラム。
【００６０】
（付記４）画面上に表示された操作対象をユーザがポインティングデバイスで指定した後に行うクリック操作に替えてポインティングデバイスで指定される位置情報に基づいて該操作対象にフォーカスを設定し、
フォーカスを設定した操作対象に対するキーボードからの入力を受け付ける
処理をコンピュータが実行することを特徴とする制御方法。
【００６１】
（付記５）画面上に表示された操作対象をユーザがポインティングデバイスで指定した後に行うクリック操作に替えてポインティングデバイスで指定される位置情報に基づいて該操作対象にフォーカスを設定するフォーカス設定部と、
前記フォーカス設定部によりフォーカスが設定された操作対象に対するキーボードからの入力を受け付ける入力受付部と、
を有することを特徴とする制御装置。
【００６２】
（付記６）画面上に表示された操作対象をユーザがポインティングデバイスで指定した後に行うフォーカス操作に替えてポインティングデバイスで指定される位置情報に基づいて該操作対象にフォーカスを設定し、
フォーカスを設定した操作対象に対するキーボードからの入力を受け付ける
処理をコンピュータに実行させることを特徴とする制御プログラムを記憶したコンピュータ読み取り可能記憶媒体。
【００６３】
（付記７）メモリと該メモリに接続されたＣＰＵとを有する制御装置において、
前記ＣＰＵに、
画面上に表示された操作対象をユーザがポインティングデバイスで指定した後に行うフォーカス操作に替えてポインティングデバイスで指定される位置情報に基づいて該操作対象にフォーカスを設定し、
フォーカスを設定した操作対象に対するキーボードからの入力を受け付ける
処理を実行させることを特徴とする制御装置。
【００６４】
（付記８）画面内に配置されたボタンの周囲の領域又は入力欄の周囲の領域へのポインタの進入検出に応じて、
該ボタン又は該入力欄への入力操作を受け付ける状態に遷移する、
ことを特徴とする制御プログラム。
【符号の説明】
【００６５】
１    ＰＣ
２    入力欄
３    ボタン
４    網点で網掛けされた領域
５    斜線で網掛けされた領域
６    チェックボックス
７    Ｗｅｂページへのリンク
１０    ＧＵＩ部
１１    表示部
１２    操作対象情報作成部
１３    項目情報記憶部
１４    操作対象情報記憶部
１５    位置監視部
１６    フォーカス設定部
１７    入力受付部
２０    アプリケーション
３１ａ，３１ｃ    入力項目
３２ａ，３２ｃ    項目タイトル
３３ａ，３３ｃ    装飾枠
３４ａ，３４ｃ    操作受付領域
９１    メインメモリ
９２    ＣＰＵ
９３    ＬＡＮインタフェース
９４    ＨＤＤ
９５    スーパーＩＯ
９６    ＤＶＩ
９７    ＯＤＤ
【図１】
2018032445.tif 000003
【図２】
2018032445.tif 000004
【図３Ａ】
2018032445.tif 000005
【図３Ｂ】
2018032445.tif 000006
【図３Ｃ】
2018032445.tif 000007
【図４Ａ】
2018032445.tif 000008
【図４Ｂ】
2018032445.tif 000009
【図５】
2018032445.tif 000010
【図６】
2018032445.tif 000011
【図７】
2018032445.tif 000012
【図８】
2018032445.tif 000013
【図９】
2018032445.tif 000014